(57)【要約】      （修正有）【課題】掃除機の回転ブラシカバーが開放しても、回転ブラシが作動するため、使用者を誤って傷つける恐れを無くす。【解決手段】掃除機用床ブラシ（１）であって、床ブラシ本体（１０）と、回転ブラシカバー（２０）と、回転ブラシアセンブリーと、マイクロスイッチ（４０）とを含む。回転ブラシカバー（２０）は、床ブラシ本体（１０）に開閉可能に設けられ且つ床ブラシ本体（１０）との間に取付空間が区画され、トリガー部（２０３）が設けられている。回転ブラシアセンブリーは、取付空間に取り付けられ、制御回路を有する。マイクロスイッチ（４０）は、床ブラシ本体（１０）に設けられ、回転ブラシカバー（２０）が床ブラシ本体（１０）に被せて結合すると、トリガー部（２０３）によりトリガーされ制御回路をオンにし、回転ブラシカバー（２０）が開くと、トリガー部（２０３）からのトリガー作用が解除されて制御回路をオフにする。【選択図】図１
2017121467.tif 000002
【特許請求の範囲】
【請求項１】
床ブラシ本体と、
前記床ブラシ本体に開閉可能に設けられ、前記床ブラシ本体との間に取付空間が区画され、トリガー部が設けられている回転ブラシカバーと、
前記取付空間に取り付けられ、制御回路を有する回転ブラシアセンブリーと、
前記床ブラシ本体に設けられ、前記回転ブラシカバーが前記床ブラシ本体に被せて結合すると、前記トリガー部によりトリガーされ前記制御回路をオンにし、前記回転ブラシカバーが開くと、前記トリガー部からのトリガー作用が解除されて前記制御回路をオフにするマイクロスイッチとを含む、
ことを特徴とする掃除機用床ブラシ。
【請求項２】
前記回転ブラシカバーは、
前記床ブラシ本体と結合して前記取付空間を形成する蓋体と、
前記蓋体と前記床ブラシ本体との間に接続して前記蓋体を前記床ブラシ本体に接続する接続部とを含み、
前記トリガー部は、前記蓋体と前記接続部のうちいずれか一つに設けられる、
ことを特徴とする請求項１に記載の掃除機用床ブラシ。
【請求項３】
前記接続部は、回転軸を含み、前記蓋体は、前記回転軸を介して回転して前記床ブラシ本体に被せて結合し、前記トリガー部は、前記回転軸に設けられ、前記蓋体が回転して被せると、前記回転軸が回転し、前記トリガー部により前記マイクロスイッチをトリガーする、
ことを特徴とする請求項２に記載の掃除機用床ブラシ。
【請求項４】
前記接続部は、回転軸を含み、前記蓋体は、前記回転軸を介して回転して前記床ブラシ本体に被せて結合し、前記トリガー部は、前記蓋体に設けられ、前記蓋体が回転して被せると、前記トリガー部が前記マイクロスイッチをトリガーする、
ことを特徴とする請求項２に記載の掃除機用床ブラシ。
【請求項５】
前記接続部は、係合部材と挿入部材のうち少なくとも一つを含み、前記回転ブラシカバーは、前記係合部材と前記挿入部材のうち前記少なくとも一つを介して前記床ブラシ本体に接続し、前記トリガー部は、前記蓋体に設けられている、
ことを特徴とする請求項２に記載の掃除機用床ブラシ。
【請求項６】
前記回転ブラシカバーが前記床ブラシ本体に被せて結合すると、前記トリガー部は、前記マイクロスイッチに直接接触して前記マイクロスイッチをトリガーする、
ことを特徴とする請求項１〜５のいずれか一項に記載の掃除機用床ブラシ。
【請求項７】
前記マイクロスイッチは、
前記床ブラシ本体に固定されて、且つ前記制御回路に接続する固定部材と、
前記固定部材に設けられる弾性部材と、
前記固定部材に設けられ、前記弾性部材と前記固定部材との間に位置するボタンとを含み、
前記トリガー部は、前記弾性部材を介して前記ボタンを押圧することにより、前記制御回路をオンにし、
前記トリガー部が前記弾性部材から離れると、前記ボタンが復帰し、前記制御回路をオフにする、
ことを特徴とする請求項１〜６のいずれか一項に記載の掃除機用床ブラシ。
【請求項８】
前記弾性部材は、Ｌ形状弾性片である、
ことを特徴とする請求項７に記載の掃除機用床ブラシ。
【請求項９】
前記床ブラシ本体に設けられ、前記マイクロスイッチと結合する伝動部材を更に含み、
前記回転ブラシカバーが前記床ブラシ本体に被せて結合すると、前記トリガー部は、前記伝動部材をトリガーし、前記伝動部材を介して前記マイクロスイッチを間接的にトリガーする、
ことを特徴とする請求項１〜５のいずれか一項に記載の掃除機用床ブラシ。
【請求項１０】
請求項１〜９のいずれか一項に記載の掃除機用床ブラシを含むことを特徴とする掃除機。
【発明の詳細な説明】
【技術分野】
【０００１】
本発明は、掃除機の技術分野に関し、特に掃除機用床ブラシ及びそれを具備する掃除機に関する。
【背景技術】
【０００２】
従来技術において、伝統的な掃除機の回転ブラシカバーが開放しても、回転ブラシが作動するため、使用者を誤って傷つける恐れがある。
【発明の概要】
【発明が解決しようとする課題】
【０００３】
本発明の目的は、従来技術における少なくとも一つの技術的課題を解決することである。本発明の一つの目的は、回転ブラシカバーが使用者により開くと、回転ブラシの作動が停止し、使用者を誤って傷つけることを回避する掃除機用床ブラシを提供することである。
【０００４】
本発明の別の目的は、上述した床ブラシを含む掃除機を提供することである。
【課題を解決するための手段】
【０００５】
本発明の第１態様の掃除機用床ブラシは、床ブラシ本体と、前記床ブラシ本体に開閉可能に設けられ、前記床ブラシ本体との間に取付空間が区画され、トリガー部が設けられている回転ブラシカバーと、前記取付空間に取り付けられ、制御回路を有する回転ブラシアセンブリーと、前記床ブラシ本体に設けられ、前記回転ブラシカバーが前記床ブラシ本体に被せて結合すると、前記トリガー部によりトリガーされ前記制御回路をオンにし、前記回転ブラシカバーが開くと、前記トリガー部からのトリガー作用が解除されて前記制御回路をオフにするマイクロスイッチとを含む。
【０００６】
本発明による掃除機用床ブラシにおいて、回転ブラシカバーにトリガー部を設け、トリガー部が、床ブラシ本体上のマイクロスイッチと結合する。回転ブラシカバーが被せて結合する時に、トリガー部がマイクロスイッチをトリガーし、回転ブラシを正常に作動させる。一方、回転ブラシカバーが開く時に、トリガー部のマイクロスイッチに対するトリガー作用が解除され、回転ブラシの作動を停止させる。よって、使用者の誤操作で回転ブラシカバーを開いたときに、回転ブラシで使用者を誤って傷つけることを避け、製品の安全性が向上する。
【０００７】
本発明の一つの実施形態において、前記回転ブラシカバーは、前記床ブラシ本体と結合して前記取付空間を形成する蓋体と、前記蓋体と前記床ブラシ本体との間に接続して前記蓋体を前記床ブラシ本体に接続する接続部とを含む。前記トリガー部は、前記蓋体と前記接続部のうちいずれか一つに設けられる。
【０００８】
本発明の一つの実施形態において、前記接続部は、回転軸を含む。前記蓋体は、前記回転軸を介して回転して前記床ブラシ本体に被せて結合する。ここで、前記トリガー部は、前記回転軸に設けられる。前記蓋体が回転して被せると、前記回転軸が回転し、前記トリガー部により前記マイクロスイッチをトリガーする。
【０００９】
本発明の一つの実施形態において、前記接続部は、回転軸を含む。前記蓋体は、前記回転軸を介して回転して前記床ブラシ本体に被せて結合する。ここで、前記トリガー部は、前記蓋体に設けられる。前記蓋体が回転して被せると、前記トリガー部が前記マイクロスイッチをトリガーする。
【００１０】
本発明の一つの実施形態において、前記接続部は、係合部材と挿入部材のうちの少なくとも一つを含む。前記回転ブラシカバーは、前記係合部材と前記挿入部材のうち前記少なくとも一つを介して前記床ブラシ本体に接続する。ここで、前記トリガー部は、前記蓋体に設けられている。
【００１１】
本発明の一つの実施形態において、前記回転ブラシカバーが前記床ブラシ本体に被せて結合すると、前記トリガー部は、前記マイクロスイッチに直接接触してトリガーする。
【００１２】
本発明の一つの実施形態において、前記マイクロスイッチは、前記床ブラシ本体に固定されて、且つ前記制御回路に接続する固定部材と、前記固定部材に設けられる弾性部材と、前記固定部材に設けられ、前記弾性部材と前記固定部材との間に位置するボタンとを含む。前記トリガー部は、前記弾性部材を介して前記ボタンを押圧することにより、前記制御回路をオンにする。前記トリガー部が前記弾性部材から離れると、前記ボタンが復帰し、前記制御回路がオフになる。
【００１３】
本発明の一つの実施形態において、前記弾性部材は、Ｌ形状弾性片である。
【００１４】
本発明の一つの実施形態において、前記床ブラシ本体に設けられ、前記マイクロスイッチと結合する伝動部材を更に含む。前記回転ブラシカバーが前記床ブラシ本体に被せて結合すると、前記トリガー部は、前記伝動部材をトリガーし、前記伝動部材を介して前記マイクロスイッチを間接的にトリガーする。
【００１５】
本発明の第２態様の掃除機は、上述した本発明の第１態様の掃除機用床ブラシを含む。
【００１６】
本発明の付加的な特徴及び利点は、以下の説明において部分的に示され、この説明から一部が明らかになるか、または、本発明の実施により理解され得る。
【図面の簡単な説明】
【００１７】
本発明の上述および／または付加的な特徴と利点は、下記の添付図面を参照した実施形態に対する説明により、明らかになり、理解されることが容易になる。
【図１】本発明の実施形態による掃除機用床ブラシの模式図であり、前記回転ブラシカバーが開放状態にある。
【図２】図１にマークされるＡ部の拡大模式図である。
【図３】図１に示す掃除機用床ブラシの模式図であり、前記回転ブラシカバーが閉鎖状態にある。
【図４】図３にマークされるＢ部の拡大模式図である。
【発明を実施するための形態】
【００１８】
以下に、本発明の実施形態を詳細に説明する。前記実施形態の例が図面に示されるが、同一または類似する符号は、常に、相同又は類似の部品、或いは、相同又は類似の機能を有する部品を表す。以下に、図面を参照しながら説明される実施形態は例示的なものであり、本発明を解釈するためだけに用いられ、本発明を限定するものと理解されてはならない。
【００１９】
本発明の説明において、「中心」、「上」、「下」、「前」、「後」、「左」、「右」、「鉛直」、「水平」、「頂」、「底」、「内」、「外」などの用語が示す方位又は位置関係は、図示に基づく方位又は位置関係であり、本発明を便利にまたは簡単に説明するために使用されるものであり、指定された装置又は部品が特定の方位にあり、特定の方位において構造され操作されると指示又は暗示するものではないので、本発明に対する限定と理解してはいけない。
【００２０】
なお、「第１」、「第２」の用語は目的を説明するためだけに用いられるものであり、比較的な重要性を指示又は暗示するか、或いは示された技術的特徴の数を黙示的に指示すると理解してはいけない。そこで、「第１」、「第２」が限定されている特徴は一つ又はより多くの前記特徴を含むことを明示又は暗示するものである。本発明の説明において、特に断りがなければ、「複数」とは、二つ又は二つ以上を意味する。
【００２１】
以下、本発明の第１実施形態による掃除機（図示せず）用の床ブラシ１について、図１〜図４を参考して記載する。
【００２２】
図１〜図４に示すように、本発明の第１実施形態による掃除機用床ブラシ１は、床ブラシ本体１０と、回転ブラシカバー２０と、回転ブラシアセンブリーとマイクロスイッチ４０とを含む。
【００２３】
図１と図３を参照すると、回転ブラシカバー２０は、床ブラシ本体１０に開閉可能に設けられ、床ブラシ本体１０との間に取付空間が区画される。即ち、回転ブラシカバー２０は、床ブラシ本体１０に被せて結合するように設けられ、床ブラシ本体１０と結合して取付空間を形成する。回転ブラシアセンブリーは、取付空間に取り付けられ、制御回路を有する。回転ブラシカバーには、マイクロスイッチ４０と結合するトリガー部２０３が設けられている。
【００２４】
マイクロスイッチ４０は、床ブラシ本体１０に設けられる。マイクロスイッチ４０は、回転ブラシアセンブリーの制御回路に電気的に接続して、制御回路をオンオフする。マイクロスイッチ４０は、床ブラシ本体１０に設けられ、回転ブラシカバー２０が床ブラシ本体１０に被せて結合すると、トリガー部２０３によりトリガーされ制御回路をオンにし、回転ブラシカバー２０が開くと、トリガー部２０３からのトリガー作用が解除されて制御回路をオフにする。
【００２５】
本発明の実施形態による掃除機用床ブラシ１は、回転ブラシカバー２０にトリガー部２０３を設け、トリガー部２０３がマイクロスイッチ４０と結合する。回転ブラシカバー２０が被せて結合する時に、トリガー部２０３が直接又は間接的にマイクロスイッチ４０をトリガーし、回転ブラシ３０１を正常に作動させる。一方、回転ブラシカバー２０が開く時に、トリガー部２０３のマイクロスイッチ４０に対するトリガー作用が解除され、回転ブラシ３０１の作動を停止させる。よって、使用者の誤操作で回転ブラシカバー２０を開いたときに、回転ブラシ３０１で使用者を誤って傷つけることを避け、製品の安全性が向上し、製品の市場競争力が高まる。
【００２６】
具体的に、回転ブラシカバー２０は、全体的に床ブラシ本体１０に回転可能に接続し、反転することにより開閉してもよく、床ブラシ本体１０に係合又は挿入して接続してもよく、即ち、取り外すことにより開閉し、全体として床ブラシ本体１０に被せて結合したり、全体として床ブラシ本体１０から離れることで開く。
【００２７】
本発明の一部の実施形態において、図１と図３に示すように、回転ブラシカバー２０は、床ブラシ本体１０と結合して取付空間を形成する蓋体２０１と、蓋体２０１と床ブラシ本体１０との間に接続して蓋体２０１を床ブラシ本体１０に接続する接続部とを含む。ここで、トリガー部２０３は、蓋体２０１と接続部のうちのいずれか一つに設けられる。つまり、トリガー部２０３は、蓋体２０１に設けられてもよく、接続部に設けられてもよい。
【００２８】
上述した実施形態において、回転ブラシカバー２０は、蓋体２０１と接続部とを含む。蓋体２０１は、床ブラシ本体１０と結合して取付空間を形成し、回転ブラシ３０１に被せて結合し、回転ブラシ３０１の作動時に使用者を傷つけることを回避し、床ブラシ１の安全性を向上させる。取付空間に位置する回転ブラシアセンブリーは、蓋体２０１に設けられてもよく、床ブラシ本体１０に設けられてもよい。回転ブラシアセンブリーは、床ブラシ本体１０に設けられることが好ましく、構造が簡単であり、装着もより便利に行われる。接続部は、蓋体２０１と接続して床ブラシ本体１０と結合する。接続部は、蓋体２０１を床ブラシ本体１０に固定させ、回転ブラシカバー２０が床ブラシ本体１０から脱離することを回避し、床ブラシ１の安全性を更に向上させる。
【００２９】
本発明の一部の実施形態において、図１〜図４に示すように、接続部は、回転軸２０２を含む。蓋体２０１は、回転軸２０２を介して回転して床ブラシ本体１０に被せて結合する。トリガー部２０３は、回転軸２０２に設けられる。蓋体２０１が回転して被せると、回転軸２０２が回転し、トリガー部２０３によりマイクロスイッチ４０をトリガーする。
【００３０】
当該実施形態において、回転ブラシカバー２０が回転して床ブラシ本体１０に被せて結合する提案について、回転ブラシカバー２０が回転軸２０２の回転により床ブラシ本体１０に被せて結合すると、トリガー部２０３を回転軸２０２に設ける。よって、回転して被せると、トリガー部２０３も、蓋体２０１が完全に床ブラシ本体１０に被せて結合するまで、回転軸２０２に追従して回転する。そのとき、トリガー部２０３もちょうどマイクロスイッチ４０に対応する位置に回転し、マイクロスイッチ４０をトリガーし、回転ブラシアセンブリーの制御回路のオンにし、掃除機の正常な作動を確保する。一方、蓋体２０１が回転し開くと、トリガー部２０３も回転してマイクロスイッチ４０から離れ、回転ブラシアセンブリーの制御回路が直ちにオフになる。すると、回転ブラシ３０１が直ちに作動しなくなり、回転ブラシ３０１で使用者を誤って傷つけることを効果的に回避し、床ブラシ１の安全性を向上させる。
【００３１】
本発明の別の実施形態において、接続部は、回転軸２０２を含む。蓋体２０１は、回転軸２０２を介して回転して床ブラシ本体１０に被せて結合する。トリガー部２０３は、蓋体２０１に設けられる。蓋体２０１が回転して被せると、トリガー部２０３がマイクロスイッチ４０をトリガーする。
【００３２】
当該実施形態において、接続部に回転軸２０２を含み、即ち、回転ブラシカバー２０が回転して床ブラシ本体１０に被せて結合する。すると、蓋体２０１に位置するトリガー部２０３も蓋体２０１に追従して回転する。蓋体２０１が完全に床ブラシ本体１０に被せて結合すると、トリガー部２０３もちょうどマイクロスイッチ４０に対応する位置に回転し、マイクロスイッチ４０をトリガーし、回転ブラシアセンブリーの制御回路のオンにし、掃除機の正常な作動を確保する。一方、蓋体２０１が回転して開くと、トリガー部２０３も回転してマイクロスイッチ４０から離れ、回転ブラシアセンブリーの制御回路が直ちにオフになり、回転ブラシ３０１が直ちに作動しなくなり、回転ブラシ３０１で使用者を誤って傷つけることを効果的に回避し、床ブラシ１の安全性が向上する。
【００３３】
本発明の別の実施形態において、接続部は、係合部材と挿入部材の少なくとも一つを含む。回転ブラシカバー２０は、係合部材と挿入部材の上述の少なくとも一つを介して床ブラシ本体１０に接続する。ここで、トリガー部２０３は、蓋体２０１に設けられている。
【００３４】
当該実施形態において、接続部は、係合部材及び／又は挿入部材を含み、即ち、回転ブラシカバー２０は、係合及び／又は挿入方式で床ブラシ本体１０に被せて結合する。すると、蓋体２０１に位置するトリガー部２０３は、蓋体２０１が床ブラシ本体１０に被せて結合するときにだけ、マイクロスイッチ４０をトリガーし、回転ブラシアセンブリーの制御回路のオンにし、掃除機を正常に作動させる。一方、蓋体２０１が床ブラシ本体１０から離れると、トリガー部２０３がマイクロスイッチ４０から離れ、マイクロスイッチ４０が復帰し、回転ブラシアセンブリーの制御回路が直ちにオフになり、回転ブラシ３０１が直ちに作動しなくなり、回転ブラシ３０１で使用者を誤って傷つけることを効果的に回避し、床ブラシ１の安全性が向上する。
【００３５】
本発明の一部の実施形態において、図３と図４に示すように、回転ブラシカバー２０が床ブラシ本体１０に被せて結合すると、トリガー部２０３は、マイクロスイッチ４０に直接接触してトリガーする。
【００３６】
更に、図２と図４に示すように、マイクロスイッチ４０は、床ブラシ本体１０に固定されて、且つ制御回路に接続する固定部材４０１と、固定部材４０１に設けられる弾性部材４０２と、固定部材４０１に設けられ、弾性部材４０２と固定部材４０１との間に位置するボタン４０３とを含む。トリガー部２０３は、弾性部材４０２を介してボタン４０３を押圧することにより、制御回路をオンにする。トリガー部２０３が弾性部材４０２から離れると、ボタン４０３が復帰し、制御回路がオフになる。
【００３７】
更に、弾性部材４０２は、固定部材４０１に回転可能に設けられる。回転ブラシカバー２０が被せて結合する時に、トリガー部２０３は、固定部材４０１に対し回転するように弾性部材４０２をトリガーし、ボタン４０３を押圧して制御回路をオンにし、回転ブラシアセンブリーが正常に作動できる。一方、回転ブラシカバー２０が開く時に、トリガー部２０３が弾性部材４０２から離れ、弾性部材４０２が復帰する。ボタン４０３に対する圧力が解除されるため、ボタン４０３が自動的に復帰し、制御回路をオフにする。よって、回転ブラシアセンブリーの作動が停止し、使用者を傷つけることを回避する。もちろん、本発明は、これらに限定されない。図２と図４に示すように、弾性部材４０２は、固定部４０２１と弾性部４０２２を更に含んでもよい。具体的に、固定部４０２１は、一端が固定部材４０１に固定される。弾性部４０２２は、一端が固定部４０２１の他端に接続し、他端がボタン４０３まで伸びる。図２と図４に示すように、ボタン４０３は、弾性部４０２２の一端に接近することが好ましい。
【００３８】
図２と図４に示すように、弾性部材４０２は、Ｌ形状弾性片であってもよい。
【００３９】
上述した実施形態において、マイクロスイッチ４０は、回転ブラシアセンブリーの制御回路に接続する固定部材４０１と、弾性部材４０２と、当該制御回路のオンオフを制御できるボタン４０３とを含む。ボタン４０３は、自然状態において、制御回路をオフにする。ボタン４０３が押圧されると、制御回路をオンにする。圧力が解除されると、自動的に復帰できる。弾性部材４０２は、ボタン４０３を押圧するためのものである。具体的に、回転ブラシカバー２０が被せて結合する時に、トリガー部２０３は、弾性部材４０２に圧力を与え、弾性部材４０２に弾性変形が生じ、ボタン４０３を押圧し、制御回路をオンにし、回転ブラシアセンブリーが正常に作動する。一方、回転ブラシカバー２０が開く時に、トリガー部２０３が弾性部材４０２から離れ、弾性部材４０２が復帰する。ボタン４０３に対する圧力が解除されるため、ボタン４０３が自動的に復帰し、制御回路をオフにする。よって、回転ブラシアセンブリーの作動が停止し、使用者を傷つけることを回避する。
【００４０】
もちろん、当業者は、以下のことを理解すべきである。マイクロスイッチ４０は、上述した構造に限定されず、小さいボタン４０３であってもよく、ほかの構造であってもよく、マイクロスイッチの機能を果たせばよい。従って、これらの技術案も本発明の保護範囲内に含まれる。
【００４１】
弾性部材４０２は、固定部４０２１と弾性部４０２２を含む。固定部４０２１は、弾性部材４０２を固定部材４０１に固定させ、弾性部材４０２の位置ずれを回避することにより、マイクロスイッチ４０の使用信頼性を確保する。弾性部４０２２は、弾性を持ち、弾性変形が生じてボタン４０３に作用力を付加することにより、ボタン４０３で制御回路をオンにする。且つ、弾性部４０２２から固定部材４０１の表面までの距離を、ボタン４０３の自然状態での高さ以上にすることにより、ボタン４０３が弾性部材４０２と固定部材４０１の間に位置することを確保する。
【００４２】
弾性部４０２２と固定部４０２１が接続される一端に接近するようにボタン４０３を設けると、弾性部４０２２の他端は、ボタン４０３から比較的に離れる。回転ブラシカバー２０の回転し被せる技術案について、回転ブラシカバー２０が完全に床ブラシ本体１０に被せて結合するときにだけ、弾性部４０２２は、制御回路をオンにする位置までにボタン４０３を押圧することができる。一方、回転ブラシカバー２０の回転し被せる過程では、ボタン４０３により制御回路をオンにすることができない。よって、回転ブラシカバー２０がまだ完全に被せて結合していないうちに回転ブラシ３０１が作動し始まることを避け、製品の安全性を更に向上させる。
【００４３】
本発明の別の実施形態において、床ブラシ１は、床ブラシ本体１０に設けられ、マイクロスイッチ４０と結合する伝動部材を更に含む。回転ブラシカバー２０が床ブラシ本体１０に被せて結合すると、トリガー部２０３は、伝動部材をトリガーして、伝動部材を介してマイクロスイッチ４０をトリガーする。
【００４４】
上述した実施形態において、トリガー部２０３が伝動部材介してマイクロスイッチ４０をトリガーし、即ち、回転ブラシカバー２０が床ブラシ本体１０に被せて結合するときに、マイクロスイッチ４０に直接接触せずに、マイクロスイッチ４０を間接的にトリガーするが、同様に、本発明の目的を達成することができる。具体的に、回転ブラシカバー２０が被せて結合する時に、トリガー部２０３は、伝動部材に作用力を付加して運動させ、更にマイクロスイッチ４０をトリガーして制御回路をオンにする。一方、回転ブラシカバー２０が開く時に、トリガー部２０３が伝動部材から離れ、伝動部材に対する作用力がなくなり、伝動部材のマイクロスイッチ４０対する作用力もなくなり、マイクロスイッチ４０が復帰し、制御回路をオフにする。
【００４５】
本発明の第２実施形態の掃除機は、本発明の上述した第１実施形態の掃除機用床ブラシ１を含む。
【００４６】
具体的に、回転ブラシカバー２００が被せて結合する時に、トリガー部２０３が直接又は間接的にマイクロスイッチ４をトリガーするため、回転ブラシアセンブリーの制御回路がオンになり、駆動部材により回転ブラシ３０１を回転駆動し、掃除機を正常に作動させる。一方、回転ブラシカバー２０が開く時に、トリガー部２０３のトリガー作用が解除されるため、マイクロスイッチ４０が復帰し、回転ブラシアセンブリーの制御回路がオフになり、駆動部材の作動が停止して回転ブラシ３０１の回転を停止させ、使用者を傷つけることがない。
【００４７】
なお、トリガー部２０３は、回転ブラシカバー２０に単独に設けられる部材であってもよく、回転ブラシカバー２０の一部であってもよく、いずれもマイクロスイッチ４０のトリガー機能を果たせ、いずれも本発明の保護範囲に含まれる。これについて、当業者が理解すべきである。
【００４８】
上述した第１実施形態の床ブラシ１を設けたため、比較的高い安全性を有し、使用者の誤操作で回転ブラシカバー２０を開いたとき、使用者を傷つけることがない。
【００４９】
以上の記載を以下にまとめる。本発明による床ブラシ１において、回転ブラシカバー２０にトリガー部２０３を設け、トリガー部２０３がマイクロスイッチ４０と結合する。回転ブラシカバー２０が被せて結合する時に、トリガー部２０３は、直接又は間接的にマイクロスイッチ４０をトリガーし、回転ブラシを正常に作動させる。一方、回転ブラシカバー２０が開く時に、トリガー部２０３のマイクロスイッチ４０に対する作動が解除させ、回転ブラシの作動を停止させる。よって、使用者が誤操作で回転ブラシカバー２０を開いたときに、誤って使用者を傷つけることを回避する。製品の安全性が向上し、製品の市場競争力が高まる。
【００５０】
具体的に、従来の掃除機において、回転ブラシカバーが開く時に、回転ブラシが依然として作動するため、使用者を誤って傷つける恐れがある。一方、本発明による床ブラシ１において、回転ブラシカバー２０が開く時に、回転ブラシの作動を停止させるため、使用者を傷つけることがない。よって、製品の安全性が向上し、製品の市場競争力が高まる。具体的に、回転ブラシカバー２０が被せて結合する時に、トリガー部２０３は、直接又は間接的にマイクロスイッチ４０をトリガーし、回転ブラシアセンブリーの制御回路をオンにし、駆動部材により回転ブラシを回転駆動し、掃除器を正常に作動させる。一方、回転ブラシカバー２０が開く時に、トリガー部２０３のトリガー作用が解除され、マイクロスイッチ４０が復帰し、回転ブラシアセンブリーの制御回路がオフになり、駆動部材の作動が停止して回転ブラシの回転を停止させ、使用者を傷つけることがない。
【００５１】
本発明の説明において、「一つの実施形態」、「一部の実施形態」、「例示的な実施形態」、「示例」、「具体的な示例」、或いは「一部の示例」などの用語を参考した説明とは、該実施形態或いは示例に結合して説明された具体的な特徴、構成、材料或いは特徴が、本発明の少なくとも一つの実施形態或いは示例に含まれることである。本明細書において、上記用語に対する例示的な描写は、必ずしも同じ実施形態或いは示例を示すことではない。又、説明された具体的な特徴、構成、材料或いは特徴は、いずれか一つ或いは複数の実施形態又は示例において適切に結合することができる。
【００５２】
本発明の実施形態を示して説明したが、当業者は、本発明の原理及び主旨から逸脱することなく、これらの実施形態に対して各種の変化、補正、切り替え及び変形を行うことができる。本発明の範囲は、特許請求の範囲及びその等価物により限定される。
【符号の説明】
【００５３】
１：床ブラシ
１０：床ブラシ本体
２０：回転ブラシカバー
２０１：蓋体
２０２：回転軸
２０３：トリガー部
３０：回転ブラシアセンブリー
３０１：回転ブラシ
４０：マイクロスイッチ
４０１：固定部材
４０２：弾性部材
４０２１：固定部
４０２２：弾性部
４０３：ボタン
【図１】
2017121467.tif 000003
【図２】
2017121467.tif 000004
【図３】
2017121467.tif 000005
【図４】
2017121467.tif 000006